(57)【要約】【課題】より厳密にフィルムを延伸できるテンター装置を提供する。【解決手段】左右一対のテンターチェーン１４，１６の中の一方のテンターチェーンが延びて、前記各測長装置４０，４１がそれぞれ測定した前記移動距離の差が基準値より高くなると、延びた前記テンターチェーンとは反対側の前記テンターチェーンに関する前記エアーシリンダーによって、前記反対側のテンターチェーンの前記他動スプロケットを前記基準値内に移動させる、【選択図】      図２
2010264647.tif 000002
【特許請求の範囲】
【請求項１】
左右一対のテンターチェーンの間にフィルムを拡布状態で張設し、かつ、前後方向に走行させることによって、前記フィルムを幅方向に延伸させるテンター装置において、
前記左右一対のテンターチェーンが、他動スプロケットと駆動スプロケットの間に掛け渡された無端チェーンであり、
前記各駆動スプロケットが回動自在に、かつ、前後方向に移動できないように固定され、
前記各他動スプロケットが回動自在に、かつ、移動手段によって前後方向に移動可能に取り付けられ、
前記各他動スプロケットの前後方向の移動距離を測定する測定手段が設けられ、
前記左右一対のテンターチェーンの中の一方のテンターチェーンが延びて、前記各測定手段がそれぞれ測定した前記移動距離の差が基準値より高くなると、延びた前記テンターチェーンとは反対側の前記テンターチェーンに関する前記移動手段によって、前記反対側のテンターチェーンの前記他動スプロケットを前記基準値内に移動させる制御部が設けられている、
ことを特徴とするテンター装置。
【請求項２】
前記移動手段が、エアーシリンダであり、
前記エアーシリンダが、前記他動スプロケットを押圧することにより前記テンターチェーンに一定の張力をかけ、かつ、前記押圧する力を調整して前記他動スプロケットを移動させる、
ことを特徴とする請求項１に記載のテンター装置。
【請求項３】
前記制御部は、左右一対の前記テンターチェーンの間に張設された前記フィルムの左側部と右側部が、相対向するように走行させる、
ことを特徴とする請求項１に記載のテンター装置。
【請求項４】
前記フィルムが、光学系フィルム、二次電池系フィルム、又は、太陽電池系フィルムである、
ことを特徴とする請求項１に記載のテンター装置。
【請求項５】
前記フィルムが、位相差フィルムであり、
前記位相差フィルムを幅方向に延伸させることにより、所定のレターデーション及び光軸方向に製造する、
ことを特徴とする請求項１に記載のテンター装置。
【発明の詳細な説明】
【技術分野】
【０００１】
本発明は、フィルムを幅方向に延伸させるテンター装置に関するものである。
【背景技術】
【０００２】
従来より、フィルムを延伸させるためにテンター装置が使用されている。このフィルムを延伸させる場合に、その延伸量を微調整する必要がある。そのため、左右一対のテンターチェーンの走行方向の各位置において、その幅を微調整する構造が提案されている（例えば、特許文献１、特許文献２参照）。
【先行技術文献】
【特許文献】
【０００３】
【特許文献１】特許第３８５８１０１号公報
【特許文献２】特開２００２−２０００７号公報
【発明の概要】
【発明が解決しようとする課題】
【０００４】
ところで、最近の液晶パネルなどに使用されている位相差フィルムなどの光学系フィルムにおいては、レターデーションや光軸方向の精度が高く、より厳密な延伸を要求される場合がある。
【０００５】
しかし、左右一対のテンターチェーンの間にフィルムを拡布状態で張設し、走行させている場合に、左側のテンターチェーンの延びる長さと右側のテンターチェーンの延びる長さが異なり、フィルムの左側部と右側部の取付け位置が相対向する位置でなく、ずれた位置になることがある。
【０００６】
上記従来のテンター装置では、フィルムの左右方向のずれは調整できるが、フィルムの走行方向のずれを調整することができない。すると、このずれによって、フィルムのレターデーションや光軸方向に悪影響を及ぼし、希望する性能を有する光学系フィルムを製造できないという問題点があった。
【０００７】
そこで、本発明は上記問題点に鑑み、より厳密にフィルムを延伸できるテンター装置を提供する。
【課題を解決するための手段】
【０００８】
本発明は、左右一対のテンターチェーンの間にフィルムを拡布状態で張設し、かつ、前後方向に走行させることによって、前記フィルムを幅方向に延伸させるテンター装置において、前記左右一対のテンターチェーンが、他動スプロケットと駆動スプロケットの間に掛け渡された無端チェーンであり、前記各駆動スプロケットが回動自在に、かつ、前後方向に移動できないように固定され、前記各他動スプロケットが回動自在に、かつ、移動手段によって前後方向に移動可能に取り付けられ、前記各他動スプロケットの前後方向の移動距離を測定する測定手段が設けられ、前記左右一対のテンターチェーンの中の一方のテンターチェーンが延びて、前記各測定手段がそれぞれ測定した前記移動距離の差が基準値より高くなると、延びた前記テンターチェーンとは反対側の前記テンターチェーンに関する前記移動手段によって、前記反対側のテンターチェーンの前記他動スプロケットを前記基準値内に移動させる制御部が設けられている、ことを特徴とするテンター装置である。
【発明の効果】
【０００９】
本発明によれば、左右一対のテンターチェーンの延びた長さの差が基準値以内に収まるため、左右一対のテンターチェーンに拡布状態で張設されたフィルムの左側部と右側部が常に相対向する位置にあり、ずれが生じることがない。
【図面の簡単な説明】
【００１０】
【図１】本発明の一実施形態のテンター装置の平面図である。
【図２】本実施形態のテンター装置の側部から見た要部拡大図である。
【図３】本実施形態のテンター装置のブロック図である。
【発明を実施するための形態】
【００１１】
以下、本発明の一実施形態のテンター装置１０について図１〜図３に基づいて説明する。
【００１２】
本実施形態のテンター装置１０は、液晶表示装置などの平面表示装置に用いられる光学系フィルムＦの一つである位相差フィルムＦを製造する。この位相差フィルムＦの材質は、ポリカーボネート、環状オレフィン・コポリマー（ＣＯＣ）や、メタセシス開環重合のシクロオレフィンポリマー（ＣＯＰ）などの熱可塑性樹脂であり、その厚みとしては、１０μｍ〜２００μｍである。
【００１３】
なお、本明細書において、「前後方向」とは、テンター装置１０におけるフィルムＦの搬入口側から搬出口側に向かう走行方向を意味し、「左右方向」とはフィルムＦの幅方向を意味する。
【００１４】
（１）テンター装置１０の構成
テンター装置１０の構成について図１及び図２に基づいて説明する。
【００１５】
テンター装置１０は、左右一対のテンターチェーン１２，１４を有している。左テンターチェーン１２は、左他動スプロケット１６と左駆動スプロケット１８に掛け渡された無端チェーンであり、右テンターチェーン１４も、右他動スプロケット２０と右駆動スプロケット２２との間に掛け渡された無端チェーンである。左他動スプロケット１６と右他動スプロケット２０は、フィルムＦの搬入口側に配され、左駆動スプロケット１８と右駆動スプロケット２２はフィルムＦの搬出口側に配されている。
【００１６】
このテンター装置１０は、クリップテンター装置であり、左右一対のテンターチェーン１２，１４には、所定間隔毎にクリップ５６がそれぞれ設けられ、各クリップ５６は、フィルムＦの左右両側部（両耳部）を挟持しながら、左右一対のテンターレール２４，２６に沿って移動する。左テンターレール２４と右テンターレール２６はテンター台２８の上に設置されている。
【００１７】
搬出口側にある左駆動スプロケット１８と右駆動スプロケット２２は、左テンターレール２４と右テンターレール２６に前後方向に移動しないように固定されている。
【００１８】
左右一対のテンターチェーン１２，１４の間隔は、搬入口側から搬出口側に向かって拡がるように設置され、この拡がりによってフィルムＦを延伸させる。なお、図１では簡単に説明するために左右一対のテンターチェーン１２，１４は平行に記載している。
【００１９】
テンター装置１０の中央部分には、フィルムＦを加熱処理するための熱処理室３０が設けられている。この熱処理室３０内部には、不図示のノズルがフィルムＦの走行路の上下に配され、フィルムＦに対し熱風を噴射して熱処理して拡げる。
【００２０】
（２）調整部分の構成
左右一対のテンターチェーン１２，１４の前後方向の長さの調整部分の構成について図２に基づいて説明する。
【００２１】
左テンターチェーン１２を移動させるための左他動スプロケット１６は、左スライド部３２の上に回動自在に取り付けられ、この左スライド部３２は、左エアーシリンダ３４によって前側（搬入口側）に押圧されている。これによって、左テンターチェーン１２は、一定の張力を保持して、掛け渡されている。
【００２２】
右テンターチェーン１４においても同様に右スライド部３６の上方に回動自在に取り付けられ、この右スライド部３６が右エアーシリンダ３８によって前側に押圧されることにより、右テンターチェーン１４が一定の張力を保持して、掛け渡されている。
【００２３】
左他動スプロケット１６には、マグネスケールなどの左測長装置４０が設けられている。図２に示すように左他動スプロケット１６の回転しない中央部分から、突部４２が突出し、一方、テンター台２８から台座４４が突出し、この台座４４に前記した左測長装置４０が取り付けられている。この左測長装置４０の測定部４６が前記した突部４２に常に接触しており、左テンターチェーン１２が熱処理室３０の熱などによって延びると、左他動スプロケット１６に取り付けられた突部４２が測定部４６を前方向に押し、左テンターチェーン１２の延びた長さＬＬを左測長装置４０が測定する。
【００２４】
左エアーシリンダ３４の先端部には左ロードセル４８が取り付けられており、左エアーシリンダ３４の押圧力を測定することができ、この押圧力により左テンターチェーン１２の張力を求める。
【００２５】
また、右テンターチェーン１４側にも同様に、右測長装置４１及び右ロードセル４９が設けられている。なお、右測長装置４１は、右テンターチェーン１４の延びた長さＬＲを測定する。右ロードセル４９は、右エアーシリンダ３８の押圧力を測定して、この押圧力により右テンターチェーン１４の張力を求める。
【００２６】
（３）テンター装置１０の電気的構成
テンター装置１０の電気的構成について図３に基づいて説明する。
【００２７】
コンピュータよりなる制御部５０には、左駆動スプロケット１８及び右駆動スプロケット２２を駆動させる駆動モータ５２が接続されている。また、これ以外に制御部５０には、左エアーシリンダ３４、右エアーシリンダ３８、左測長装置４０、ロードセル４８がそれぞれ接続されている。
【００２８】
（４）テンター装置１０の動作状態
テンター装置１０の動作状態について説明する。
【００２９】
熱処理室３０内部のノズルから熱風を吹き出し、熱処理室３０内部を１５０℃〜１９０℃に設定する。
【００３０】
左右一対のテンターチェーン１２，１４の間にクリップ５６によってフィルムＦを拡布状態で張設し、左モータ５２と右モータ５４によって左駆動スプロケット１８と右駆動スプロケット２２を駆動し、フィルムＦを３０〜６０ｍ／分で前後方向に走行させる。
【００３１】
これによって、フィルムＦが熱処理されて幅方向に延伸し、例えば、光軸が±０．５度で所定のレターデーションを有する位相差フィルムＦを製造できる。
【００３２】
しかしながら、製造を行なっていると、熱処理室３０の熱などによって左テンターチェーン１２又は右テンターチェーン１４の長さが延びてくる。例えば、左他動スプロケット１６が、この延びた長さだけ、前方向に移動する。
【００３３】
そこで、制御部５０は、次のような制御を行う。
【００３４】
ステップ１において、左測長装置４０が左テンターチェーン１２の延びた長さＬＬを常に測定し、右測長装置４１が右テンターチェーン１４の延びた長さＬＲを測定する。
【００３５】
ステップ２において、制御部５０が、｜ＬＬ−ＬＲ｜を計算して、｜ＬＬ−ＬＲ｜＞＝Ｌ０になるとステップ３に進む。例えば、基準値Ｌ０＝０．５ｍｍである。
【００３６】
ステップ３において、制御部５０は、延びた方のテンターチェーン（例えば、左テンターチェーン１２とする）とは、反対側のテンターチェーン（例えば、右テンターチェーン１４とする）を、右エアーシリンダー３８によって押圧して、右テンターチェーン１４の長さを長くして、｜ＬＬ−ＬＲ｜＜Ｌ０になるようにフィードバック制御を行う。
【００３７】
ステップ４において、右ロードセル４９によって右エアーシリンダー３８の押圧力を測定し、右テンターチェーン１４の張力が基準力以上になると、右テンターチェーン１４が外れる切れる可能性があるので、これを防止するために警報を鳴らす。この張力の基準としては、元の長さより延びた長さが１〜２％延びたときの張力とする。
【００３８】
なお、上記とは反対に右テンターチェーン１４が延びた場合には、左エアーシリンダ３４によって左テンターチェーン１２を押圧してその長さを長くする。
【００３９】
（５）効果
上記実施形態のテンター装置１０であると、例えば、左テンターチェーン１２の延びて、左右一対のテンターチェーン１２，１４の長さの差が基準値以上になると、右エアーシリンダー３８によって、右テンターチェーン１４を延ばすため、フィルムＦの左側部と右側部が相対向する位置で熱処理を行なうことができる。したがって、位相差フィルムＦのような厳密な延伸を必要とされるフィルムＦであっても、希望通りフィルムＦを延伸させることができる。
【００４０】
（６）変更例
上記実施形態では、クリップテンター装置で説明したが、これに代えてピンでフィルムＦを固定するピンテンター装置であってもよい。
【００４１】
上記実施形態では、光学系フィルムで説明したが、これに代えて二次電池に用いられる二次電池系フィルム、又は、太陽電池に用いられる太陽電池系フィルムの製造にも適用できる。
【符号の説明】
【００４２】
Ｆ  フィルム
１０  テンター装置
１２  左テンターチェーン
１４  右テンターチェーン
１６  左他動スプロケット
１８  左駆動スプロケット
２０  右他動スプロケット
２２  右駆動スプロケット
３４  左エアーシリンダ
３８  右エアーシリンダ
４０  左測長装置
４１  右測長装置
５０  制御部
【図１】
2010264647.tif 000003
【図２】
2010264647.tif 000004
【図３】
2010264647.tif 000005